(57)【要約】【課題】  近隣への騒音対策を容易且つ安価に行うことができる室外機用の吸音壁を提供する。【解決手段】  室外機５０と間隔をあけて対向するように設置される室外機用の吸音壁１であって、表面側に吸音材１３，１４を備える壁本体１０と、壁本体１０の両側縁を支持する一対の支持部材２０，２０とを備え、壁本体１０は、上部に傾斜部１２を備えており、一対の支持部材２０，２０を設置面６０に固定した後、一対の支持部材２０，２０に対して両側縁を上方から係合させることにより、傾斜部１２の表面側が室外機に向けて傾斜するように起立状態で支持される。【選択図】  図２
0003186785.tif 000002
【実用新案登録請求の範囲】
【請求項１】
室外機と間隔をあけて対向するように設置される室外機用の吸音壁であって、
表面側に吸音材を備える壁本体と、前記壁本体の両側縁を支持する一対の支持部材とを備え、
前記壁本体は、上部に傾斜部を備えており、一対の前記支持部材を設置面に固定した後、一対の前記支持部材に対して両側縁を上方から係合させることにより、前記傾斜部の表面側が室外機に向けて傾斜するように起立状態で支持される室外機用の吸音壁。
【請求項２】
敷地を隔てる境界壁の上部に係合して吊下支持される補助部材を更に備え、
前記補助部材は、上下方向に延びる長孔を有しており、前記長孔を介して前記支持部材に連結される請求項１に記載の室外機用の吸音壁。
【考案の詳細な説明】
【技術分野】
【０００１】
本考案は、空調機やヒートポンプ給湯器等の室外機から発生する騒音を緩和するための室外機用の吸音壁に関する。
【背景技術】
【０００２】
家庭用の空調機や給湯器等の室外機は、ケーシング内に設けられた圧縮機の作動により発生する騒音が大きいため、ケーシング内に防音材を設けて騒音を緩和することが従来から行われている（例えば、特許文献１）。ところが、室外機のケーシングには放熱用の開口が必要になるため、開口からの騒音の漏洩が避けられず、ケーシング内の防音材だけでは騒音を十分に低減することが困難であった。室外機の騒音対策としては、室外機の全体を防音壁で取り囲むことも考えられるが、コストや作業性の面で問題があり、各家庭において室外機による近隣騒音を容易に緩和できる方法が求められていた。
【先行技術文献】
【特許文献】
【０００３】
【特許文献１】特開２０１３−１０４６０８号公報
【考案の概要】
【考案が解決しようとする課題】
【０００４】
そこで、本考案は、近隣への騒音対策を容易且つ安価に行うことができる室外機用の吸音壁の提供を目的とする。
【課題を解決するための手段】
【０００５】
本考案の前記目的は、室外機と間隔をあけて対向するように設置される室外機用の吸音壁であって、表面側に吸音材を備える壁本体と、前記壁本体の両側縁を支持する一対の支持部材とを備え、前記壁本体は、上部に傾斜部を備えており、一対の前記支持部材を設置面に固定した後、一対の前記支持部材に対して両側縁を上方から係合させることにより、前記傾斜部の表面側が室外機に向けて傾斜するように起立状態で支持される室外機用の吸音壁により達成される。
【０００６】
この室外機用の吸音壁は、敷地を隔てる境界壁の上部に係合して吊下支持される補助部材を更に備えることが可能であり、前記補助部材は、上下方向に延びる長孔を有しており、前記長孔を介して前記支持部材に連結可能である。
【考案の効果】
【０００７】
本考案によれば、近隣への騒音対策を容易且つ安価に行うことができる室外機用の吸音壁を提供することができる。
【図面の簡単な説明】
【０００８】
【図１】本考案の一実施形態に係る室外機用の吸音壁の正面図である。
【図２】図１のＡ−Ａ断面図である。
【図３】本考案の他の実施形態に係る室外機用の吸音壁の側面図である。
【図４】図３のＢ−Ｂ断面の要部を示す図である。
【考案を実施するための形態】
【０００９】
以下、本考案の一実施形態について添付図面を参照しつつ説明する。図１は、本考案の一実施形態に係る室外機用の吸音壁の正面図であり、図２は、図１のＡ−Ａ断面図である。図１および図２に示すように、室外機用の吸音壁１は、壁本体１０と、壁本体１０の両側縁を支持する一対の支持部材２０，２０とを備えており、室外機５０の放熱用開口部５２が壁本体１０の表面側と対向するように、室外機５０と間隔をあけて配置される。
【００１０】
壁本体１０は、平板状の金属板等からなる２つの基材１１，１２が、所定の傾斜角θで傾斜するようにブラケット１８を介して上下に結合されており、上方に位置する基材１２が傾斜部を構成している。基材１１，１２は、複数の固定具１６により固定された吸音材１３，１４が、表面側の略全体に設けられている。吸音材１３，１４は、グラスウール、ロックウール、ウレタンフォーム等の公知のものを使用することができ、表面に撥水加工を施す等して耐水性や耐候性に優れることが好ましい。具体的には、日本板硝子環境アメニティ株式会社製のグラスウールである「フローティングウール（登録商標）」を好ましく使用することができる。吸音材１３，１４は、厚みを有する板状のものを使用することができ、あるいは、シート状のものを基材に巻き付ける等して使用することもできる。
【００１１】
支持部材２０は、設置面６０に埋設されるコンクリートブロック６２にアンカーボルト２１を用いて結合される基台２２と、下部が基台２２の筒部に挿入されてボルト等の連結具２３により固定される角筒状の支柱２４とを備えている。一対の支持部材２０，２０は、水平に延びる保持部材２８により、それぞれの基台２２，２２同士が一定の間隔を保持するように連結される。また、それぞれの支柱２４，２４の対向面には、スリット状のガイド溝２４ａ，２４ａが上下に延びるように形成されており、壁本体１０を構成する基材１１の両側縁をガイド溝２４ａ，２４ａに沿って上方からスライドさせることにより、壁本体１０が一対の支持部材２０，２０により支持される。支柱２４の上部にはキャップ２６が装着されており、ガイド溝２４ａの上端が閉止されている。
【００１２】
上記の構成を備える室外機用の吸音壁１は、室外機５０の近傍において容易に組み立てることが可能であり、必要な騒音対策を迅速安価に行うことができる。すなわち、室外機５０の開口部５２から所望の距離Ｌ（例えば、２００ｍｍ程度）だけ離れた位置に壁本体１０が配置されるように、設置現場でコンクリートブロック６２，６２を用いて一対の支持部材２０，２０を固定する。この後、壁本体１０を、吸音材１３，１４が設けられた表面側が室外機５０を向くように、一対の支持部材２０，２０に対して上方から係合させる。これにより、壁本体１０は、傾斜部１２の表面側が室外機５０に向けて傾斜するように起立状態で支持される。傾斜部１２は、騒音低減効果を高めるために室外機５０よりも上方に配置されることが好ましく、傾斜角θは、例えば１５〜３０度に設定することが好ましい。
【００１３】
本実施形態の室外機用の吸音壁１による騒音低減効果を確認するため、下記の騒音測定試験を行った。図１および図２において、室外機５０の代わりにスピーカーを設置すると共に、壁本体１０の裏側にマイクロフォンを設置し、スピーカーから騒音を発生させたときにマイクロフォンが検出する騒音のレベルが、壁本体１０の有無でどのように変化するかを調べた。壁本体の大きさは、幅が１０００ｍｍ、高さが１０３５ｍｍであり、スピーカーとマイクロフォンの間に壁本体が介在するように、それぞれを配置した。スピーカーから壁本体までの距離は２００ｍｍに設定し、壁本体からマイクロフォンまでの距離は１ｍに設定した。スピーカーから発生する騒音を１２５〜４０００Ｈｚのオクターブバンド周波数としたときに、マイクロフォンで検出された騒音レベル（Ａ特性音圧レベル）を表１に示す。
【００１４】
【表１】
0003186785.tif 000003
【００１５】
表１に示すように、壁本体を設けることにより人間の耳に知覚され易い５００Ｈｚ以上の周波数帯域において騒音レベルが特に低下しており、本実施形態の室外機用の吸音壁が、近隣への有効な騒音対策になることが明らかになった。
【００１６】
以上、本考案の一実施形態について詳述したが、室外機５０の近傍に、敷地を隔てる境界ブロック等の境界壁が設けられている場合には、図３および図４に示すように、境界壁７０を利用して室外機用の吸音壁１を設置することも可能である。図３および図４は、図１および図２に示す室外機用の吸音壁１において、境界壁７０に取り付けられる補助部材３０を更に備えるものであり、図４は、図３のＢ−Ｂ断面の要部を示している。図３および図４において、図１および図２に示す構成と同様の構成部分には同一の符号を付して、詳細な説明を省略する。
【００１７】
図３および図４に示すように、補助部材３０は、上下方向に延びる帯状の支持板３１の上部に鉤状の係合部３２を備えており、境界壁７０の上部に係合部３２を係合させて、ボルト等の固定具３４で係合部３２を固定することにより、支持板３１が吊下支持される。支持板３１は、長手方向に延びる長孔３１ａが複数設けられており、支持板３１の下部が、支持部材２０が備える支柱２４の背面側に設けた収容部２４ｂに挿入されている。収容部２４ｂは、薄板を断面Ｃ字状に折り曲げて支柱２４と略同じ長さとなるように形成されており、長孔３１ａおよびＣ字状の切れ目を介してボルトからなる連結具３６を挿通することにより、収容部２４ｂに対して支持板３１を所望の挿入深さで固定することができる。
【００１８】
図３および図４に示す室外機用の吸音壁１によれば、支持部材２０を設置面６０に設置すると共に、補助部材３０を境界壁７０の上部に係合させた後、支持板３１の長孔３１ａを利用して、支持部材２０の収容部２４ｂに対する支持板３１の挿入深さを調整して固定することができるため、境界壁７０の高さに拘わらず、支持部材２０を補助部材３０により吊下支持することができる。したがって、設置面６０に対する支持部材２０の固定は簡易的なものでよく、吸音壁１の設置をより迅速容易に行うことができる。補助部材３０は、一対の支持部材２０，２０のそれぞれを吊下支持するように、複数設けることが好ましい。
【符号の説明】
【００１９】
１  室外機用の吸音壁
１０  壁本体
１２  傾斜部
１３，１４  吸音材
２０  支持部材
３０  補助部材
３１  支持板
３１ａ  長孔
５０  室外機
６０  設置面
７０  境界壁
【図１】
0003186785.tif 000004
【図２】
0003186785.tif 000005
【図３】
0003186785.tif 000006
【図４】
0003186785.tif 000007